(57)【要約】【課題】可搬記録媒体に記録された多くの画像データから所望の画像データを出力する際に、画像データの絞込みの操作性の向上を図ること。【解決手段】画像データを入力するスキャナ５０と、所定の操作設定および表示機能を有する液晶ディスプレイ３１と、複数の画像データが記録され、当該装置に対して着脱可能で可搬可能な可搬記録媒体７５が読み出し可能に接続される可搬記録媒体接続手段と、を備え、可搬記録媒体７５に記録してある画像データを、画像入力手段から入力された画像データに合成して出力する際に、可搬記録媒体７５の画像データを液晶ディスプレイ３１上で並び替えて出力対象の画像データを絞り込む画像データ絞込み手段を備える。【選択図】        図４
2008022336.tif 000002
【特許請求の範囲】
【請求項１】
記録紙に画像を形成する画像形成装置であって、
画像データを入力する画像入力手段と、
所定の操作設定および表示機能を有する操作表示手段と、
複数の画像データが記録され、前記画像形成装置に対して着脱可能で可搬可能な可搬記録媒体が読み出し可能に接続される可搬記録媒体接続手段と、
を備え、
前記可搬記録媒体に記録してある画像データを、画像入力手段から入力された画像データに合成して出力する際に、前記可搬記録媒体の画像データを前記操作表示手段上で並び替えて出力対象の画像データを絞り込む画像データ絞込み手段を備えることを特徴とする画像形成装置。
【請求項２】
前記画像データ絞込み手段は、前記可搬記録媒体に保存されている画像の属性を、当該装置の機能に合わせてソート、フィルタを行なうことを特徴とする請求項１に記載の画像形成装置。
【請求項３】
前記画像データ絞込み手段は、前記可搬記録媒体に保存されている画像の属性を、合成および挿入先の原稿の属性に合わせてソート、フィルタを行なうことを特徴とする請求項１に記載の画像形成装置。
【請求項４】
前記画像データ絞込み手段は、前記可搬記録媒体の画像フォーマットに合わせてソート、フィルタを行なうことを特徴とする請求項１に記載の画像形成装置。
【請求項５】
前記画像データ絞込み手段は、前記可搬記録媒体に保存されている複数の画像を、１ページの画像として前記操作表示手段に表示することを特徴とする請求項１〜４の何れか一つに記載の画像形成装置。
【請求項６】
さらに、装置内部に画像データを格納する画像データ格納手段を備え、
前記可搬記録媒体の画像データを用いてプログラム印刷する際に前記画像データ格納手段に当該画像データを格納し、前記プログラム印刷で用いた画像データを前記画像データ格納手段から消去することを特徴とする請求項１に記載の画像形成装置。
【請求項７】
画像データを入力し、複数の画像データが記録され、当該装置に対して着脱可能で可搬可能な可搬記録媒体から画像を読み出して画像形成を行なう画像形成方法であって、
前記可搬記録媒体に記録してある画像データを、画像入力手段から入力された画像データに合成して出力する際に、前記可搬記録媒体の画像データを並び替えて出力対象の画像データを表示し、絞り込む画像データ絞込み工程を含むことを特徴とする画像形成方法。
【請求項８】
前記画像データ絞込み工程は、前記可搬記録媒体に保存されている画像の属性を、当該装置の機能に合わせてソート、フィルタを行なうことを特徴とする請求項７に記載の画像形成方法。
【請求項９】
前記画像データ絞込み工程は、前記可搬記録媒体に保存されている画像の属性を、合成および挿入先の原稿の属性に合わせてソート、フィルタを行なうことを特徴とする請求項７に記載の画像形成方法。
【請求項１０】
請求項７〜９の何れか一つに記載の画像形成方法をコンピュータで実行させることを特徴とするプログラム。
【発明の詳細な説明】
【技術分野】
【０００１】
本発明は、着脱可能な可搬記録媒体から出力が可能な画像形成装置、画像形成方法、およびプログラムに関するものである。
【背景技術】
【０００２】
近年、文書などを電子化する技術やシステムの利用が普及しつある。このような技術背景から可搬記録媒体により画像データを持ち運ぶことが多くなってきている。そこで、従来は、着脱可能な記憶媒体に保持されているイメージデータと、複写可能な原稿の画像データとを合成し、新たな画像イメージを作成する複写装置が開示されている（たとえば、特許文献１参照）。
【０００３】
また、近年の技術革新により、可搬記録媒体の記録容量が増加し、多くの画像データを保存することが可能になってきている。
【０００４】
【特許文献１】特開平９−１３９８３２号公報
【発明の開示】
【発明が解決しようとする課題】
【０００５】
しかしながら、上記に示されるような従来の技術にあっては、可搬記録媒体に記録した多くの画像データから所望とする画像データを迅速に特定することができず、その抽出に手間取るといった問題点があった。
【０００６】
本発明は、上記に鑑みてなされたものであって、可搬記録媒体に記録された多くの画像データから所望の画像データを出力する際に、画像データの絞込みの操作性の向上を図ることを目的とする。
【課題を解決するための手段】
【０００７】
上述した課題を解決し、目的を達成するために、請求項１にかかる発明は、記録紙に画像を形成する画像形成装置であって、画像データを入力する画像入力手段と、所定の操作設定および表示機能を有する操作表示手段と、複数の画像データが記録され、当該装置に対して着脱可能で可搬可能な可搬記録媒体が読み出し可能に接続される可搬記録媒体接続手段と、を備え、前記可搬記録媒体に記録してある画像データを、画像入力手段から入力された画像データに合成して出力する際に、前記可搬記録媒体の画像データを前記操作表示手段上で並び替えて出力対象の画像データを絞り込む画像データ絞込み手段を備えることを特徴とする。
【０００８】
この発明によれば、可搬記録媒体に記録してある画像データを、画像入力手段から入力された画像データに合成して出力する際に、可搬記録媒体の画像データを操作表示手段上で並び替えて出力対象の画像データを絞り込む画像データ絞込み手段を備えることにより、可搬記録媒体の画像データの絞込みの操作性を向上させることが可能になる。
【０００９】
また、請求項２にかかる発明は、前記画像データ絞込み手段は、前記可搬記録媒体に保存されている画像の属性を、当該装置の機能に合わせてソート、フィルタを行なうことを特徴とする。
【００１０】
この発明によれば、請求項１において、可搬記録媒体に保存されている画像の属性を、当該装置の機能に合わせてソート、フィルタを行なうことにより、装置が有する機能および所望の機能を用いた場合における可搬記録媒体の画像データの絞込みの操作性を向上させることが可能になる。
【００１１】
また、請求項３にかかる発明は、前記画像データ絞込み手段は、前記可搬記録媒体に保存されている画像の属性を、合成および挿入先の原稿の属性に合わせてソート、フィルタを行なうことを特徴とする。
【００１２】
この発明によれば、請求項１において、可搬記録媒体に保存されている画像の属性を、合成および挿入先の原稿の属性に合わせてソート、フィルタを行なうことにより、画像欠けの生じない画像データの絞込みが可能になる。
【００１３】
また、請求項４にかかる発明は、前記画像データ絞込み手段は、前記可搬記録媒体の画像フォーマットに合わせてソート、フィルタを行なうことを特徴とする。
【００１４】
この発明によれば、請求項１において、可搬記録媒体の画像フォーマットに合わせてソート、フィルタを行なうことにより、画像サイズを持ち合わせない画像フォーマットにおいても画像欠けの生じない画像データの絞込みが可能になる。
【００１５】
また、請求項５にかかる発明は、前記画像データ絞込み手段は、前記可搬記録媒体に保存されている複数の画像を、１ページの画像として前記操作表示手段に表示することを特徴とする。
【００１６】
この発明によれば、請求項１〜４の何れか一つにおいて、可搬記録媒体に保存されている複数の画像を、１ページの画像として操作表示手段に表示することにより、操作表示手段の画面に複数の画像データを表示することが可能になる。
【００１７】
また、請求項６にかかる発明は、さらに、装置内部に画像データを格納する画像データ格納手段を備え、前記可搬記録媒体の画像データを用いてプログラム印刷する際に前記画像データ格納手段に当該画像データを格納し、前記プログラム印刷で用いた画像データを前記画像データ格納手段から消去することを特徴とする。
【００１８】
この発明によれば、請求項１において、画像データを画像形成装置内の画像データ格納手段に格納することにより、プログラム呼出しのたびに可搬記録媒体を接続する操作が不要となり、また、プログラム印刷で用いた画像データを前記画像データ格納手段から消去することにより、メモリ容量不足が解消される。
【００１９】
また、請求項７にかかる発明は、画像データを入力し、複数の画像データが記録され、当該装置に対して着脱可能で可搬可能な可搬記録媒体から画像を読み出して画像形成を行なう画像形成方法であって、前記可搬記録媒体に記録してある画像データを、画像入力手段から入力された画像データに合成して出力する際に、前記可搬記録媒体の画像データを並び替えて出力対象の画像データを表示し、絞り込む画像データ絞込み工程を含むことを特徴とする。
【００２０】
この発明によれば、可搬記録媒体に記録してある画像データを、画像入力手段から入力された画像データに合成して出力する際に、可搬記録媒体の画像データを操作表示手段上で並び替えて出力対象の画像データを絞り込むことにより、可搬記録媒体の画像データの絞込みの操作性を向上させることが可能になる。
【００２１】
また、請求項８にかかる発明は、前記画像データ絞込み工程は、前記可搬記録媒体に保存されている画像の属性を、当該装置の機能に合わせてソート、フィルタを行なうことを特徴とする。
【００２２】
この発明によれば、請求項７において、可搬記録媒体に保存されている画像の属性を、当該装置の機能に合わせてソート、フィルタを行なうことにより、装置が有する機能および所望の機能を用いた場合における可搬記録媒体の画像データの絞込みの操作性を向上させることが可能になる。
【００２３】
また、請求項９にかかる発明は、前記画像データ絞込み工程は、前記可搬記録媒体に保存されている画像の属性を、合成および挿入先の原稿の属性に合わせてソート、フィルタを行なうことを特徴とする。
【００２４】
この発明によれば、請求項７において、可搬記録媒体に保存されている画像の属性を、合成および挿入先の原稿の属性に合わせてソート、フィルタを行なうことにより、画像欠けの生じない画像データの絞込みが可能になる。
【００２５】
また、請求項１０にかかる発明は、請求項７〜９の何れか一つに記載の画像形成方法をコンピュータで実行させることを特徴とする。
【００２６】
この発明によれば、請求項７〜９の何れか一つに記載の画像形成方法をコンピュータで実行させることが可能になる。
【発明の効果】
【００２７】
本発明（請求項１）にかかる画像形成装置は、可搬記録媒体に記録してある画像データを、画像入力手段から入力された画像データに合成して出力する際に、可搬記録媒体の画像データを操作表示手段上で並び替えて出力対象の画像データを絞り込む画像データ絞込み手段を備えるため、可搬記録媒体に記録された多くの画像データから所望の画像データを出力する際に、可搬記録媒体の画像データの絞込みにおける操作性を向上させることができるという効果を奏する。
【００２８】
また、本発明（請求項２）にかかる画像形成装置は、請求項１において、可搬記録媒体に保存されている画像の属性を、当該装置の機能に合わせてソート、フィルタを行なうことにより、装置が有する機能および所望の機能を用いた場合における可搬記録媒体の画像データの絞込みの操作性を向上させることができるという効果を奏する。
【００２９】
また、本発明（請求項３）にかかる画像形成装置は、請求項１において、可搬記録媒体に保存されている画像の属性を、合成および挿入先の原稿の属性に合わせてソート、フィルタを行なうことにより、画像欠けの生じない画像データの絞込みができるという効果を奏する。
【００３０】
また、本発明（請求項４）にかかる画像形成装置は、請求項１において、可搬記録媒体の画像フォーマットに合わせてソート、フィルタを行なうことにより、画像サイズを持ち合わせない画像フォーマットにおいても画像欠けの生じない画像データの絞込みができるという効果を奏する。
【００３１】
また、本発明（請求項５）にかかる画像形成装置は、請求項１〜４の何れか一つにおいて、可搬記録媒体に保存されている複数の画像を、１ページの画像として操作表示手段に表示することにより、操作表示手段の画面に複数の画像データを表示することができるという効果を奏する。
【００３２】
また、本発明（請求項６）にかかる画像形成装置は、請求項１において、画像データを画像形成装置内の画像データ格納手段に格納することにより、プログラム呼出しのたびに可搬記録媒体を接続する操作が不要となり、また、プログラム印刷で用いた画像データを前記画像データ格納手段から消去することにより、メモリ容量不足を解消することができるという効果を奏する。
【００３３】
また、本発明（請求項７）にかかる画像形成方法は、可搬記録媒体に記録してある画像データを、画像入力手段から入力された画像データに合成して出力する際に、可搬記録媒体の画像データを操作表示手段上で並び替えて出力対象の画像データを絞り込むことにより、可搬記録媒体に記録された多くの画像データから所望の画像データを出力する際に、可搬記録媒体の画像データの絞込みの操作性を向上させることができるという効果を奏する。
【００３４】
また、本発明（請求項８）にかかる画像形成方法は、請求項７において、可搬記録媒体に保存されている画像の属性を、当該装置の機能に合わせてソート、フィルタを行なうことにより、装置が有する機能および所望の機能を用いた場合における可搬記録媒体の画像データの絞込みの操作性を向上させることができるという効果を奏する。
【００３５】
また、本発明（請求項９）にかかる画像形成方法は、請求項７において、可搬記録媒体に保存されている画像の属性を、合成および挿入先の原稿の属性に合わせてソート、フィルタを行なうことにより、画像欠けの生じない画像データの絞込みができるという効果を奏する。
【００３６】
また、本発明（請求項１０）にかかるプログラムは、請求項７〜９の何れか一つに記載の画像形成方法をコンピュータで実行させることができるという効果を奏する。
【発明を実施するための最良の形態】
【００３７】
以下に添付図面を参照して、この発明にかかる画像形成装置、画像形成方法、およびプログラムの最良な実施の形態を詳細に説明する。
【００３８】
（実施の形態）
まず、本発明の概要について説明する。コピーを行なうときに、メモリカード（可搬記録媒体）に記憶してある画像の挿入や合成をする機能を使う際、メモリカードの画像の選択を簡便にするものである。機能としては、表紙、裏表紙の挿入、章区切り等のページ挿入や、ウォーターマーク（電子透かし）やスタンプ等の合成がある。
【００３９】
また、メモリカードの低廉化・大容量化で、普段使う画像はコピー機内に保存するのではなく、１つのメモリカードに大量の画像を入れて持ち歩いているのを想定している。その中から所望の画像を選択するために、使用する機能の特性を利用して、ファイル表示画面でソートやフィルタを行なうものである。
【００４０】
すなわち、ファイルのソート、フィルタの方法についての発明である。従来からある、日付や拡張子によるソートやフィルタを拡張するものである。本発明の特徴は、メモリカードに保存されている画像の属性を、機能的面や、合成・挿入先の原稿の属性に合わせて、ソート、フィルタすることである。
【００４１】
ここで機能面について説明する。表紙の挿入であれば、物理的に表紙用トレイが設定できるので、そのサイズと同じ画像を使う可能性が高い（たとえば、Ａ４用表紙、Ｂ５用表紙を別々に持っているなど）。表紙の挿入であれば、１枚もの画像を挿入する可能性が高い。章区切りであれば、１枚ものか、章の数以上の枚数を持つ原稿の可能性が高い。
【００４２】
つぎに原稿の属性について説明する。フォーマット合成であれば、原稿か、用紙トレイのサイズと一致する画像を使用する可能性が高い。スタンプやウォーターマークであれば、原稿か、用紙トレイのサイズより小さい画像を使用する可能性が高い。すなわち、小さい画像はそのまま使えるが、大きい画像は縮小により劣化するからである。
【００４３】
また、上記のほかに、メモリカードの画像はフォーマットが色々考えられるため、もてる属性も多様であり、サイズを持たないフォーマット、たとえばＪＰＥＧ（Ｊｏｉｎｔ  Ｐｈｏｔｏｇｒａｐｈｉｃ  Ｅｘｐｅｒｓ  Ｇｒｏｕｐ）などであれば、画像の画素数と、印刷時の解像度から、属性を割り出すといったことも考えられる。
【００４４】
以下、上記内容を実現するための具体的な例について説明する。図１に本発明の実施の形態にかかる画像形成装置２００の構成を示す。自動原稿送り装置（以後ＡＤＦと記述する）１にある、原稿台２に原稿の画像面を上にして置かれた原稿束は、操作部３０上のスタートキー３４が押下されると、一番下の原稿から給送ローラ３、給送ベルト４によってコンタクトガラス６上の所定の位置に給送される。一枚の原稿を給送完了により原稿枚数をカウントアップするカウント機能を有している。給送された原稿は読み取りユニット５０によってコンタクトガラス６上の原稿の画像データを読み取り後、読み取りが終了した原稿は、給送ベルト４および排送ローラ５によって排出される。
【００４５】
第１トレイ８、第２トレイ９、第３トレイ１０に積載された転写紙は、各々第１給紙装置１１、第２給紙装置１２、第３給紙装置１３によって給紙され、縦搬送ユニット１４によって感光体１５に当接する位置まで搬送される。読み取りユニット５０にて読み込まれた画像データは、書き込みユニット５７からのレーザーによって感光体１５に書き込まれ、現像ユニット２７を通過することによってトナー像が形成される。そして、転写紙は感光体１５の回転と等速で搬送ベルト１６によって搬送されながら、感光体１５上のトナー像が転写される。その後、定着ユニット１７にて画像を定着させ、排紙ユニット１８によって排紙トレイ１９に排出される。
【００４６】
転写紙の両面に画像を作像する場合は、各給紙トレイ８〜１０から給紙され作像された転写紙を排紙トレイ１９側に導かないで、両面入紙搬送路１１３に搬送し、反転ユニット１１２でスイッチバック反転し両面搬送ユニット１１１に送る。
【００４７】
両面搬送ユニットに送られた用紙は再度、縦搬送ユニット１４に送られて裏面に画像を印刷された後に排紙される。
【００４８】
また、転写紙を反転して排出する場合は上記反転ユニット１１２でスイッチバック反転した用紙を両面ユニットに送らずに反転排紙搬送路１１４に送り出して排紙する。
【００４９】
感光体１５、搬送ベルト１６、定着ユニット１７、排紙ユニット１８、現像ユニット２７はメインモータ２５によって駆動され、各給紙装置１１〜１３はメインモータ２５の駆動を各々給紙クラッチ２２〜２４によって伝達駆動される。縦搬送ユニット１４はメインモータ２５の駆動を中間クラッチ２１によって伝達駆動される。
【００５０】
つぎに、図１を用いて、本発明における画像読み取り手段、および画像を記録面上に潜像形成するまでの動作を説明する。潜像とは感光体１５面上に画像を光情報に変換して照射することにより生じる電位分布である。
【００５１】
読み取りユニット５０は、原稿を載置するコンタクトガラス６と光学走査系で構成されており、光学走査系には、露光ランプ５１、第１ミラー５２、レンズ５３、ＣＣＤイメージセンサ５４等々で構成されている。露光ランプ５１および第１ミラー５２は図示しない第１キャリッジ上に固定され、第２ミラー５５および第３ミラー５６は図示しない第１キャリッジ上に固定されている。原稿像を読み取るときには、光路長が変わらないように、第１キャリッジと第２キャリッジとが２対１の相対速度で機械的に走査される。この光学走査系は、図示しないスキャナ駆動モータにて駆動される。原稿画像は、ＣＣＤイメージセンサ５４によって読み取られ、電気信号に変換されて処理される。レンズ５３およびＣＣＤイメージセンサ５４を図２において左右方向に移動させることにより、画像倍率が変わる。すなわち、指定された倍率に対応してレンズ５３およびＣＣＤイメージセンサ５４の左右方向に位置が設定される。
【００５２】
書き込みユニット５７はレーザ出力ユニット５８、結像レンズ５９、ミラー６０で構成され、レーザ出力ユニット５８の内部には、レーザ光源であるレーザダイオードおよびモータによって高速で定速回転する回転多面鏡（ポリゴンミラー）が備わっている。レーザ出力ユニット５８より照射されるレーザ光は、定速回転するポリゴンミラーで偏光され、結像レンズ５９を通り、ミラー６０で折り返され、感光体１５面上に集光し結像する。
【００５３】
図２はメインコントローラを中心に、制御装置を図示したものである。メインコントローラ２０は画像形成装置全体を制御する。メインコントローラ２０には、オペレータに対する表示、オペレータからの機能設定入力制御を行う操作部３０、スキャナの制御、原稿画像を画像メモリに書き込む制御、画像メモリからの作像を行う制御等を行う画像処理ユニット（ＩＰＵ）４９、原稿自動送り装置（ＡＤＦ）１、などの分散制御装置が接続されている。
【００５４】
各分散制御装置とメインコントローラ２０は必要に応じて機械の状態、動作司令のやりとりを行っている。また紙搬送等に必要なメインモータ２５、各種クラッチ２１〜２４も接続されている。
【００５５】
図１に戻り、画像形成装置の原稿読み取りから、画像の書き込みまでを説明する。読み取りユニット５０は、原稿を載置するコンタクトガラス６と光学走査系で構成されており、光学走査系には、露光ランプ５１、第１ミラー５２、レンズ５３、ＣＣＤイメージセンサ５４等々で構成されている。露光ランプ５１および第１ミラー５２は図示しない第１キャリッジ上に固定され、第２ミラー５５および第３ミラー５６は図示しない第１キャリッジ上に固定されている。原稿像を読み取るときには、光路長が変わらないように、第１キャリッジと第２キャリッジとが２対１の相対速度で機械的に操作される。この光学走査系は、図示しないスキャナ駆動モータにて駆動される。原稿画像は、ＣＣＤイメージセンサ５４によって読み取られ、電気信号に変換されて処理される。
【００５６】
書き込みユニット５７はレーザ出力ユニット５８、結像レンズ５９、ミラー６０で構成され、レーザ出力ユニット５８の内部には、レーザ光源であるレーザダイオードおよびモータによって高速で定速回転する多角形ミラー（ポリゴンミラー）が備わっている。
【００５７】
書き込みユニット５７から出力されるレーザ光が、画像作像系の感光体１５に照射される。図示しないが感光体１５の一端近傍のレーザビームを照射される位置に、主走査同期信号を発生するビームセンサが配置されている。
【００５８】
図３は画像処理ユニット（ＩＰＵ）４９の内部構成をブロック図である。露光ランプ５１から照射された光の反射を、ＣＣＤイメージセンサ５４にて光電変換し、Ａ／Ｄコンバータ６１にてデジタル信号に変換する。デジタル信号に変換された画像信号は、シェーディング補正６２がなされた後、画像処理部６３にてＭＴＦ補正、γ補正等がなされる。変倍部７２を経由した画像信号は変倍率に合せて拡大縮小され、セレクタ６４に流れる。セレクタ６４では、画像信号の送り先を、書き込みγ補正ユニット７１または、画像メモリコントローラ６５への切り替えが行われる。書き込みガンマ補正ユニット７１を経由した画像信号は作像条件に合わせて書き込みガンマが補正され、書き込みユニット５７に送られる。
【００５９】
画像メモリコントローラ６５とセレクタ６４間は、双方向に画像信号を入出力可能な構成となっている。また、画像メモリコントローラ６５等への設定や、読み取り部５０、書き込み部５７の制御を行うＣＰＵ６８、およびそのプログラムやデータを格納するＲＯＭ６９、ＲＡＭ７０を備えている。更にＣＰＵ６８は、メモリコントローラ６５を介して、画像メモリ６６のデータの書き込み、読み出しが行える。
【００６０】
原稿画像で画像メモリコントローラ６５へ送られた画像は、画像メモリコントローラ内にある画像圧縮装置によって画像データを圧縮した後、画像メモリ６６に送られる。ここで画像圧縮する理由は、最大画像サイズ分の２５６階調のデータをそのまま画像メモリ６６に書き込む事も可能であるが、１枚の原稿画像で画像メモリを大変多く使用する。画像圧縮を行うことで、画像限られた画像メモリを有効に利用できる。また、一度に多くの原稿画像データを記憶することができるため、ソート機能として、貯えられた原稿画像イメージデータをページ順に出力することができる。この場合画像を出力する際に画像メモリ６６のデータをメモリコントローラ６５内の伸長装置で順次伸長しながら出力を行う。このような機能は一般に「電子ソート」と呼ばれている。
【００６１】
また、画像メモリの機能を利用して、複数枚の原稿画像を、画像メモリの転写紙一枚分のエリアを分割したエリアに順次読み込むことも可能となる。たとえば４枚の原稿画像を、画像メモリの転写紙一枚分の４等分されたエリアに順次書き込むことで、４枚の原稿が一枚の転写紙イメージに合成され集約されたコピー出力を得ることが可能となる。このような機能は一般に「集約コピー」と呼ばれている。
【００６２】
画像メモリ６６の画像はＣＰＵ６８からアクセス可能な構成となっている。このため画像メモリの内容を加工することが可能であり、たとえば画像の間引き処理、画像の切り出し処理等が行える。加工には、メモリコントローラ６５のレジスタにデータを書き込むことで画像メモリの処理を行うことができる。加工された画像は再度画像メモリ６６に保持される。
【００６３】
画像メモリ６６は、処理を行う画像データの大きさにより複数のエリアに分割して画像データの入出力を同時に実行可能な構成をとっている。各分割したエリアに画像データの入力、出力をそれぞれ並列に実行可能にするためにメモリコントローラとのインターフェイスにリード用とライト用の二組のアドレス・データ線で接続されている。これによりエリア１に画像を入力（ライト）する間にエリア２より画像を出力（リード）するという動作が可能になる。
【００６４】
また、画像メモリ６６の内容をＣＰＵ６８が読みだし、Ｉ／Ｏポート６７を経て、画像データ７３として操作部３０に転送することが可能な構成となっている。一般に、操作部３０の画面表示の解像度は低いため、画像メモリ６６の原画像は画像間引きが行われ操作部３０に送られる。
【００６５】
画像メモリ６６は、多くの画像データを収納するためハードディスクが用いられることもある。ハードディスクを用いることにより、外部電源が不要で永久的に画像を保持できる特徴もある。
【００６６】
複数の定型の原稿（フォーマット原稿）をスキャナで読み込み保持するためには、このハードディスクが用いられことが一般的である。
【００６７】
可搬記録媒体接続部７４は、可搬記録媒体７５の着脱を検知するとともに、可搬記録媒体７５の接続時は、ＣＰＵ６８によりデータの読みだし、書き込みが可能である。可搬記録媒体の画像データは、メモリコントローラ６５を経由し、画像メモリ６６への書き込み、読み出しが可能である。なお、可搬記録媒体７５は、たとえば市販されている小型のフラッシュメモリなどによるメモリカード、ＵＳＢメモリを利用し、当然のことながら可搬記録媒体接続部７４は当該カードのインターフェイス規格に合致したものを用いる。
【００６８】
ＮＶ−ＲＡＭ７５は、不揮発性メモリであり、システム全体の情報を保管している。また、使用頻度の高い設定条件を記憶しておくプログラム登録でも、ＮＶ−ＲＡＭ７５に設定条件を保管することになる。
【００６９】
図４は、本発明の実施の形態にかかる画像形成装置の機能構成を示すブロック図である。この図は上述した画像形成装置２００の構成を前提とし本発明の機能ブロックについて示すものである。可搬記録媒体７５には後述するようなファイル画像（画像データ）が格納され、装置に対して着脱可能となっている。この可搬記録媒体７５に記録されている画像データとスキャナ５０からの画像データまたは画像メモリ６６の画像データとを必要に応じて合成し出力するものである。この際、操作部３０の液晶ディスプレイ３１を介して可搬記録媒体７５に記録してある画像データの絞込み設定を行なう。たとえば、液晶ディスプレイ３１上の表示設定、ユーザスタンプ印字、フォーマット合成、ファイル選択、画像選択といった入力設定を行なう。この表示設定画面については図８〜図１３に示す。そして、この入力画像データに対する可搬記録媒体７５に記録されている画像データの付加を設定したのち、当該設定にしたがってＩＰＵ４９が所定の画像処理を行なう。画像処理が行なわれた画像データは書き込みユニット５７によって図１に示したようなエンジン１２０の感光体１５に光照射され、画像が形成される。
【００７０】
図５は、操作部３０の構成を示す説明図である。操作部３０には、液晶タッチパネル３１、テンキー３２、クリア／ストップキー３３、プリントキー３４、予熱キー３５、リセットキー３６、割り込みキー３７があり、液晶タッチパネル３１には、機能キー４１、部数、および画像形成装置の状態を示すメッセージなどが表示される。
【００７１】
割り込みキー３７の押下により割込み押下モードに移行する。割り込みモードは、コピー動作実行中および操作中において一時的にコピー作業を割り込んでコピーをするときのモードである。このモードを設定することによりその前のコピーモード、およびコピー途中であればその途中の経過情報を不揮発ＲＡＭに記憶し、割り込みモードに移行し、モードを初期化する。コピー動作実行後、割り込みモード解除すると、不揮発ＲＡＭに記憶したモードおよび情報を戻して割り込みモード設定前の状態を復帰させ、再スタートにて、割り込み前のモードを継続することができる。
【００７２】
初期設定キー３８を押すことで、機械の初期状態を任意にカスタマイズすることが可能である。機械が収納している用紙サイズを設定したり、コピー機能のモードクリアキーを押したときに設定される状態を任意に設定可能である。また、一定時間操作が行なわれないときに優先して選択されるアプリケーション等も選択するとか、国際エネルギースター計画にしたがった低電力への移行時間の設定や、オートオフ／スリープモードへの移行する時間を設定することが可能である。
【００７３】
予熱キー３５を押すと、機械は待機状態から、電力低減状態に移行し、定着温度を低下させたり、操作部３０の表示を消灯する。予熱状態は、国際エネルギースター計画でいう、低電力状態を意味している。また、予熱状態、オフ状態／スリープ状態を解除し、待機状態に移行させるには、この予熱キーを再度押下する。
【００７４】
新規予約キー３９は、予約コピーを行なうときに使用する。ジョブ一覧キー４０の押下により、動作中のコピージョブの一覧を表示する。プログラムキー４１を押すことで、使用頻度の高い設定条件を記憶（登録）、呼出、消去させることができ、この場合、プログラムモード画面（図８参照）を表示させる。
【００７５】
図６は操作部３０の液晶タッチパネル３１の表示一例を示した図である。オペレータが液晶タッチパネル３１に表示されたキーにタッチすることで、選択された機能を示すキーが黒く反転する。また、機能の詳細を指定しなければならない場合（たとえば変倍であれは変倍値等）は、キーにタッチすることで、詳細機能の設定画面が表示される。このように、液晶タッチパネル３１は、ドット表示器を使用しているため、そのときの最適な表示をグラフィカルに行うことが可能である。
【００７６】
図７は、可搬記録媒体（メモリカード）７５の画像データを用いて所定の印刷を行なう場合に、可搬記録媒体（メモリカード）７５がセットされていない、あるいは正しくセットされていない場合の表示画面例である。図８〜図１０に、可搬記録媒体７５からの画像データ出力を指示する操作画面例を示す。
【００７７】
図８は、表紙モードの設定画面である。おもて表紙およびうら表紙の設定が可能であり、表紙に画像を載せるコピーするボタンと、表紙に画像を載せないコピーしないボタンを択一で選択することができる。ここで、コピーするボタンが押下されると、原稿ボタンおよびファイル選択ボタンが表示される。原稿ボタンが選択されると、原稿画像を表紙に載せて出力されるモード設定となる。原稿画像とは、読み取った原稿画像の場合と、画像メモリから読み出された原稿画像の場合が存在する。
【００７８】
ファイル選択ボタンが押下されると、ファイル選択画面（図１１参照）が開き、表紙に載せる画像データを選ぶことができる。
【００７９】
図９は、ユーザースタンプの設定画面である。ユーザースタンプでは、機器に登録されているユーザースタンプが選択肢として表示されている。機器に登録されているもの以外のスタンプを指示するために、ファイル選択ボタンが存在する。ファイル選択ボタンが押下されると、ファイル選択画面（図１１参照）が開き、ユーザースタンプの画像データを選ぶことができる。
【００８０】
図１０は、フォーマット合成の設定画面である。フォーマット合成には、フォーマットの種類を選択する原稿フォーマットボタンと画像フォーマットボタンが存在する。原稿フォーマットとは、読み取った原稿画像をフォーマットとして使用する、もしくは、画像メモリから読み出された原稿画像をフォーマットとして使用し、合成を行なうモード設定である。画像フォーマットとは、機器に登録されている登録画像をフォーマットとして使用する、もしくは、可搬記録媒体７５の画像データをフォーマットとして使用し、合成を行なうモード設定である。
【００８１】
画像フォーマットボタンが押下されると、画像フォーマットを選択するための、登録フォーマットボタンとファイル選択ボタンが表示される。ファイル選択ボタンが押下されると、ファイル選択画面（図１１参照）が開き、フォーマット合成の画像データを選ぶことができる。
【００８２】
図１１および図１２に操作部３０上のファイル選択画面の例を示す。ここでは、可搬記録媒体７５上に存在するファイルの名前、ファイル作成者のユーザーＩＤ、ファイルの作成／更新日時、ページ数、ファイルの種別等を一覧で表示している。ファイル選択ボタン８０の押下により、ファイルの選択ができ、ボタン反転のグラフィック表示が行なわれる。また、反転表示しているファイルボタンの再押下により、反転表示は解除され、ファイル選択も解除される。
【００８３】
操作画面上に表示できるファイル数には限度があるため、ページめくりボタン８１〜８２が存在し、このボタン操作により、全てのファイルを確認することが可能である。また、ファイルを選択した状態で、詳細ボタン８３を押下すると、詳細表示画面（図示せず）が開き、ファイル容量、画像サイズなどの、一覧に表示できない情報も表示することが可能である。
【００８４】
ファイルの絞込みとして、検索ボタン８４やソートボタン８５が存在する。検索ボタンは、その押下により検索条件画面（図示せず）が開き、そこで入力された条件で検索されたものが、ファイル選択画面に表示される。ソートボタンは、ファイル名、ユーザーＩＤ、日時等がボタンになっており、このボタンの押下により、昇順降順の表示が行なわれる。ソートの昇順降順は、上向き下向きの矢印で表現する。
【００８５】
リスト表示ボタンおよびサムネイル表示ボタン８６、ファイル選択ボタン８０をリスト表示（図１１参照）にするか、サムネイル表示（図１２参照）にするかを切り替えるボタンである。サムネイル表示では、ファイルの先頭画像のサムネイルがボタン上に表示されるものとする。
【００８６】
（動作例１−１）
図１４のフローチャートをもとに、ファイル表示処理についての説明を行なう。まず、ファイル参照を行い（ステップＳ１１）、ファイルが存在するかの確認を行なう(ステップＳ１２)。ここでファイルが存在すると判断したならば、表示フィルタの条件設定を行い(ステップＳ１３)、あらかじめ定めた条件と一致するか否かを判断する（ステップＳ１４）。ここで条件が一致した場合は、ファイル取得し、画面表示データに取得したファイル情報を保持する（ステップＳ１５）。続いて、操作パネルに画面表示できるだけのファイル取得が終了したかの判断を行い（ステップＳ１６）、終了した場合は、ファイル選択画面の表示更新を行なう（ステップＳ１７）。
【００８７】
なお、ファイルの表示フィルタ条件については、印刷設定と、可搬記録媒体７５の画像データの書誌情報が適用されるが、画像メモリに蓄積された文書の印刷の場合は、事前に画像データが特定されているので、この蓄積文書の画像データの書誌情報も適用範囲とする。
【００８８】
このように、可搬記憶媒体の画像データと、画像形成装置の印刷設定や、画像形成装置の画像データを比較し、条件の合う可搬記憶媒体の画像データのみを表示することにより、可搬記憶媒体の画像データの絞込みの操作性を向上させることができる。
【００８９】
（動作例１−２）
ファイルの表示フィルタ条件が画像サイズの場合についての説明を行なう。ここでは、印刷設定と可搬記録媒体７５の画像データの画像サイズを比較するための条件設定を行なう。表紙モードにおいては、表紙トレイで選択された用紙サイズと一致する画像サイズの画像データが選べることが望ましい。また、画像欠けが生じないという観点からは、表紙トレイで選択された用紙サイズよりも小さい画像サイズの画像データが選択できればよい。ユーザースタンプにおいては、指定された原稿サイズ、または、選択トレイの用紙サイズよりも小さい画像サイズの画像データが選択できればよい。フォーマット合成においては、指定された原稿サイズ、または、選択トレイの用紙サイズと一致する画像サイズの画像データが選択できればよい。また、画像メモリの蓄積文書の印刷時には、各モードに関わらず蓄積文書の画像データの画像サイズと、可搬記録媒体７５の画像データの画像サイズを比較するものとする。これらの比較条件を図１５に示す。
【００９０】
このように、可搬記憶媒体の画像データの画像サイズを条件にすることにより、画像欠けの生じない画像データの絞込みが可能となる。
【００９１】
（動作例１−３）
ファイルの表示フィルタ条件が解像度の場合についての説明を行なう。ここでは、印刷設定と可搬記録媒体の画像データの解像度を比較するための条件設定を行なう。可搬記録媒体７５の画像データで画像サイズをもたないものも存在するため、画像データの解像度から、印刷条件の解像度（たとえば、コピーの場合は６００ｄｐｉ）への変換を行い、比較をするものとする。表紙モードにおいては、表紙トレイで選択された用紙サイズと一致する画像サイズに相当する解像度の画像データが選べることが望ましい。また、画像欠けが生じないという観点からは、表紙トレイで選択された用紙サイズよりも小さい画像サイズに相当する解像度の画像データが選択できればよい。ユーザースタンプにおいては、指定された原稿サイズ、または、選択トレイの用紙サイズよりも小さい画像サイズに相当する画像データが選択できればよい。フォーマット合成においては、指定された原稿サイズ、または、選択トレイの用紙サイズと一致する画像サイズに相当する画像データが選択できればよい。また、画像メモリの蓄積文書の印刷時には、各モードに関わらず蓄積文書の画像データの画像サイズと、可搬記録媒体７５の画像データの解像度を比較するものとする。これらの比較条件を図１６に示す。
【００９２】
このように、可搬記憶媒体の画像データの解像度を条件にすることにより、画像サイズを持ち合わせない画像フォーマットにおいても、画像欠けの生じない画像データの絞込みが可能となる。
【００９３】
（動作例１−４）
ファイルの表示フィルタ条件がページ数の場合についての説明を行なう。ここでは、印刷設定と可搬記録媒体７５の画像データのページ数を比較するための条件設定を行なう。表紙モードにおいては、１ページものの画像データが選択できればよい。また、表紙モードでも両面コピー設定が行なわれている場合は、本文にあわせて２ページものの画像データが選択できてもよい。ユーザースタンプ、フォーマット合成においても、１ページものの画像データが選択できればよい。これらの判定条件を図１７に示す。
【００９４】
このように、可搬記憶媒体の画像データのページ数を条件にすることにより、印刷設定に必要なページ数の画像データの絞込みが可能となる。
【００９５】
（動作例１−５）
図１３に画像選択の画面例を示す。画面の構成や機能は、図１１または図１２のファイル選択画面と、ほぼ同じである。図１２では一つの選択ボタンで表示されていた画像データのファイルが、図１３では、画像データごとに選択ボタンに割り当てられるものとする。
【００９６】
このように、複数ページからなる画像データファイルを、ページごとに表示することにより、画像データ判別および指定の操作性を向上させることができる。
【００９７】
つぎにプログラムモードについて説明する。プログラムモード画面（図１８参照）で、登録キー４３を押下してから、プログラム番号選択キー４５を押下すると、設定条件をＮＶ−ＲＡＭ７５に記憶する。呼出キー４２を押下してから、プログラム番号選択キー４５を押下すると、ＮＶ−ＲＡＭ７５に記憶されている設定条件を呼び出す。消去キー４４を押下してから、プログラム番号選択キー４５を押下すると、ＮＶ−ＲＡＭ７５に記憶されている設定条件を消去する。なお、設定条件はプログラム番号ごとに別々に記憶される。
【００９８】
つぎに画像データ印刷モードについて説明する。画像データ印刷モードとは、可搬記録媒体７５や画像形成装置２００に記憶されている画像を選択し、その画像を印刷するモードである。たとえば、表紙用の画像を選択して、表紙に任意の画像を印刷する表紙機能（図８参照）や、会社のロゴマークなどの画像を選択して、原稿画像と合成して印刷するユーザースタンプ印字機能（図９参照）などがある。
【００９９】
（動作例２−１）
脱着可能な可搬記憶媒体に記憶されている画像データを画像データ印刷モードで印刷するように登録されたプログラムを呼び出した場合、画像データを記憶した可搬記憶媒体を接続する必要がある。そのたびに可搬記憶媒体を接続する必要があり、操作手順が多くなる。また、可搬記憶媒体を紛失したり、画像データを含むファイルを消去した場合に印刷できなくなってしまう。そこで本発明では、合成機能をプログラム登録するとき、画像データを画像形成装置内の記憶媒体に記憶することにより、プログラム呼出のたびに可搬記憶媒体を接続しなくても済むようにする。
【０１００】
プログラム登録時、画像データ印刷モードが選択されている場合、以下の処理を順次行う。
[１]画像データ印刷モードで印刷する画像として設定されている画像を、可搬記録媒体７５から画像メモリ（ＨＤＤ）６６にユニークなファイルＩＤを付加してコピーを行う。
[２]プログラム登録する番号に該当する設定条件に、画像メモリ（ＨＤＤ）６６からの上記ファイルＩＤの画像データ印刷モードであることを記憶する。プログラム呼出時、呼出する番号の設定条件に画像データ印刷が記憶されている場合、呼出する番号の設定条件に記憶されているファイルＩＤの画像を、画像メモリ（ＨＤＤ）６６から画像データ印刷モードで印刷する画像として設定する。
【０１０１】
(動作例２−２)
上述した画像形成装置で、画像データ印刷モードを選択して登録されたプログラムを削除する場合、画像形成装置内の記憶媒体に記憶された画像データを消去しないと、画像形成装置内の記憶媒体の容量不足になってしまう。そこで本発明では、可搬記憶媒体の画像データを合成するモードを登録したプログラムを削除するとき、画像形成装置内の記憶媒体に記憶された画像データを消去することにより、上記不具合を回避する。
【０１０２】
プログラム消去時、消去する番号の設定条件に画像データ印刷が記憶されている場合、以下の処理を順次行う。
[１]消去する番号の設定条件に記憶されているファイルＩＤの画像を消去する。
[２]消去する番号に該当する設定条件から、画像データ印刷モードであることを消去する。
【０１０３】
（動作例２−３）
上述の画像形成装置では、画像データが画像形成装置内の記憶媒体に記憶されるので、他のユーザに公開したくない画像データも記憶されしまいセキュリティ上の問題になる。また、脱着可能な可搬記憶媒体に記憶されている画像データを画像データ印刷モードで印刷するように登録されたプログラムを呼び出したとき、可搬記憶媒体から画像データを印刷する場合には、該当するファイルを可搬記憶媒体から検索する必要がある。しかし、ファイル名などのファイル情報をキーワードに検索したとしても、ユーザーがファイル名を変更している場合、誤ったファイルを検索してしまう可能性がある。そこで、本発明では、可搬記憶媒体の画像データを印刷する画像データ印刷モードをプログラム登録するとき、可搬記憶媒体には画像データを特定する書誌情報を付加した画像データを記憶し、画像形成装置内の記憶媒体には上記書誌情報を記憶する。更に、プログラム呼出するときは画像形成装置内の記憶媒体に記憶した書誌情報と一致する画像を可搬記憶媒体から印刷することにより、上記２つの不具合を回避することを可能にする。
【０１０４】
プログラム登録時、画像データ印刷モードが選択されている場合、以下の処理を順次行う。
[１]画像データ印刷モードで印刷する画像として設定されている画像を、可搬記録媒体７５から可搬記録媒体７５にユニークなファイルＩＤを付加してコピーを行う。
[２]プログラム登録する番号に該当する設定条件に、可搬記録媒体７５から上記ファイルＩＤの画像データ印刷モードであることを記憶する。プログラム呼出時、呼出する番号の設定条件に画像データ印刷が記憶されている場合、呼出する番号の設定条件に記憶されているファイルＩＤの画像を、可搬記録媒体７５から画像データ印刷モードで印刷する画像として設定する。
【０１０５】
（動作例２−４）
上述の画像形成装置では、プログラム登録時に、可搬記憶媒体にライトプロテクトがかかっていたり、容量不足などのために、画像データを特定する書誌情報を付加した画像データを記憶することができない場合に、警告表示を行い、プログラム登録できなかったことを確実にユーザーに知らせる。
【０１０６】
上記動作例２−３に記載の画像データ印刷モードが選択されている場合のプログラム登録処理を下記のように変更する。
[１]可搬記録媒体７５にライトプロテクトされているか調べ、ライトプロテクトされている場合は、ライトプロテクトされている旨の警告（図１９参照）を表示し、プログラム登録処理を中止する。
[２]画像データ印刷モードで印刷する画像として設定されている画像を、可搬記録媒体７５から可搬記録媒体にユニークなファイルＩＤを付加してコピーを行う。可搬記録媒体７５の容量不足などのため、コピーが失敗した場合は、可搬記録媒体７５へのコピーができなかった旨の警告（図２０参照）を表示し、プログラム登録処理を中止する。
[３]プログラム登録する番号に該当する設定条件に、可搬記録媒体７５から上記ファイルＩＤの画像データ印刷モードであることを記憶する。
【０１０７】
（動作例２−５）
上述の画像形成装置では、可搬記憶媒体の画像データを印刷する画像データ印刷モードをプログラム呼出するとき、画像形成装置内の記憶媒体に記憶された可搬記憶媒体の画像データの書誌情報に一致する画像データがないとき、警告を表示することにより、ユーザーの操作性を向上させる。
【０１０８】
上記動作例２−３に記載の画像データ印刷モードが選択されている場合のプログラム呼出処理を下記のように変更する。
[１]可搬記録媒体接続部７４に可搬記録媒体７５が挿入されているか調べ、挿入されていない場合は、可搬記録媒体７５が挿入されていない旨の警告（図２１参照）を表示する。可搬記録媒体接続部７４に可搬記録媒体７５が挿入された場合は[２]に遷移する。「中止」キーが押された場合には、プログラム呼出処理を中止する。
[２]呼出する番号の設定条件に記憶されているファイルＩＤの画像を、可搬記録媒体７５から検索を行う。検索できた場合に[３]に遷移する。検索できなかった場合には検索できなかった旨の警告（図２２参照）を表示する。可搬記録媒体接続部７４に可搬記録媒体７５が改めて挿入された場合は[２]の先頭に遷移し、改めて検索を行う。「中止」キーが押された場合には、プログラム呼出処理を中止する。
[３]処理[２]で検索されたファイルの画像を画像データ印刷モードで印刷する画像として設定する。
【０１０９】
ところで、これまで説明してきた実施の形態における処理方法（動作）を、プログラム化し、コンピュータ読み取り可能な記録媒体に記録し、コンピュータ上で実行することもできる。また、処理方法の一部をネットワーク上に有し、通信回線を通して実現することもできる。
【０１１０】
すなわち、この実施の形態で説明した画像処理方法は、図２３に示すように、あらかじめ用意されたプログラムをパーソナルコンピュータやワークステーションなどのコンピュータ（ＣＰＵ３００）で実行することにより実現される。このプログラムは、キーボード３０５の操作などにより、メモリ３１、ハードディスク３０４、フレキシブルディスク３０７、ＣＤ−ＲＯＭ（Ｃｏｍｐａｃｔ−Ｄｉｓｃ  Ｒｅａｄ  Ｏｎｌｙ  Ｍｅｍｏｒｙ）３０６、ＭＯ（Ｍａｇｎｅｔｏ  Ｏｐｔｉｃａｌ）、ＤＶＤ（Ｄｉｇｉｔａｌ  Ｖｅｒｓａｔｉｌｅ  Ｄｉｓｃ）などのコンピュータで読み取り可能な記録媒体に記録され、コンピュータ（ＣＰＵ３００）によって記録媒体から読み出し、必要に応じて表示装置３０３に表示することによって実行される。また、必要に応じてこの画像処理方法のデータを通信装置３０２から外部装置に送受信することも可能である。
【０１１１】
また、このプログラムは、図２４に示すように、上記記録媒体を介して、インターネット４００などのネットワークによってパーソナルコンピュータなどの装置４０１〜４０３に配布することができる。
【０１１２】
すなわち、このプログラムは、たとえばコンピュータに内蔵されている記録媒体としてのハードディスクに、あらかじめインストールした状態で提供することができる。プログラムは記録媒体に一時的あるいは永続的に格納し、コンピュータにユニットとして組み込んだり、あるいは着脱式の記録媒体として利用することで、パッケージソフトウェアとして提供することができる。
【０１１３】
記録媒体としては、たとえば、フレキシブルディスク、ＣＤ−ＲＯＭ、ＭＯディスク、ＤＶＤ、磁気ディスク、半導体メモリなどが利用できる。
【０１１４】
プログラムは、ダウンロードサイトから、ＬＡＮ（Ｌｏｃａｌ  Ａｒｅａ  Ｎｅｔｗｏｒｋ）やインターネットといったネットワークを介して、有線または無線でコンピュータに転送し、そのコンピュータにおいて、内蔵するハードディスクなどの記憶装置にダウンロードさせるようにすることができる。
【産業上の利用可能性】
【０１１５】
以上のように、本発明にかかる画像形成装置、画像形成方法、およびプログラムは、装置に着脱可能な可搬記録媒体からの出力可能な装置、方法に有用であり、特に、可搬記録媒体に記録されている複数の画像データと装置の画像データとを合成して出力する場合などに適している。
【図面の簡単な説明】
【０１１６】
【図１】本発明の実施の形態にかかる画像形成装置の構成を示す説明図である。
【図２】メインコントローラを中心に、制御装置の構成を示すブロック図である。
【図３】画像処理ユニット（ＩＰＵ）の内部構成をブロック図である。
【図４】本発明の実施の形態にかかる画像形成装置の機能構成を示すブロック図である。
【図５】本発明の実施の形態にかかる操作部の構成を示す説明図である。
【図６】操作部の液晶タッチパネルの表示一例を示した図である。
【図７】メモリカード使用時におけるカード未接続の表示画面例を示す説明図である。
【図８】本発明の実施の形態にかかる表紙モードの設定画面例を示す説明図である。
【図９】本発明の実施の形態にかかるユーザースタンプの設定画面例を示す説明図である。
【図１０】本発明の実施の形態にかかるフォーマット合成の設定画面例を示す説明図である。
【図１１】本発明の実施の形態にかかるファイル選択画面例（１）を示す説明図である。
【図１２】本発明の実施の形態にかかるファイル選択画面例（２）を示す説明図である。
【図１３】本発明の実施の形態にかかる画像選択画面例を示す説明図である。
【図１４】本発明の実施の形態にかかる動作を示すフローチャートである。
【図１５】本発明の実施の形態にかかる可搬記録媒体における画像データの画像サイズとの比較例を示す図表である。
【図１６】本発明の実施の形態にかかる可搬記録媒体における画像データの解像度との比較例を示す図表である。
【図１７】本発明の実施の形態にかかる可搬記録媒体における画像データのページ判定例を示す図表である。
【図１８】本発明の実施の形態にかかるプログラムコピーモード画面例を示す説明図である。
【図１９】本発明の実施の形態にかかるカード書込禁止時の表示画面例を示す説明図である。
【図２０】本発明の実施の形態にかかるカード書込失敗時の表示画面例を示す説明図である。
【図２１】本発明の実施の形態にかかるカード未挿入時の表示画面例を示す説明図である。
【図２２】本発明の実施の形態にかかるカードに画像データがないときの表示画面例を示す説明図である。
【図２３】本発明の実施の形態にかかる処理方法をコンピュータに実行させる例を示すブロック図である。
【図２４】本発明の実施の形態にかかる処理方法をネットワーク上からダウンロードして実行させる例を示すブロック図である。
【符号の説明】
【０１１７】
２０  メインコントローラ
３０  操作部
３１  液晶ディスプレイ
５０  スキャナ
６６  画像メモリ
７４  可搬記録媒体接続部
７５  可搬記録媒体
２００  画像形成装置
【図１】
2008022336.tif 000003
【図２】
2008022336.tif 000004
【図３】
2008022336.tif 000005
【図４】
2008022336.tif 000006
【図５】
2008022336.tif 000007
【図６】
2008022336.tif 000008
【図７】
2008022336.tif 000009
【図８】
2008022336.tif 000010
【図９】
2008022336.tif 000011
【図１０】
2008022336.tif 000012
【図１１】
2008022336.tif 000013
【図１２】
2008022336.tif 000014
【図１３】
2008022336.tif 000015
【図１４】
2008022336.tif 000016
【図１５】
2008022336.tif 000017
【図１６】
2008022336.tif 000018
【図１７】
2008022336.tif 000019
【図１８】
2008022336.tif 000020
【図１９】
2008022336.tif 000021
【図２０】
2008022336.tif 000022
【図２１】
2008022336.tif 000023
【図２２】
2008022336.tif 000024
【図２３】
2008022336.tif 000025
【図２４】
2008022336.tif 000026